(57)【要約】【課題】添加から適切な期間で微生物に利用され、かつ、微生物に対する栄養の供給を長期間に亘って行える土壌浄化用の添加材を提供する。【解決手段】  本発明は、有機ハロゲン化合物で汚染された土壌を浄化する微生物の栄養源となる難水溶性有機炭素源を含有し、この汚染土壌を浄化する際に添加される添加材である。そして、難水溶性有機炭素源は、粉体状であって、添加から７日経過後における水溶液のＴＯＣが４０ｍｇ／Ｌ以上１００ｍｇ／Ｌ以下である。例えば、コーンスターチや片栗粉が好適に用いられる。そして、鉄粉を併用することにより、鉄粉によるＶＯＣの還元分解効果を損なわず、ＶＯＣを分解する微生物を活性化することができる。【選択図】図９
2014012233.tif 000002
【特許請求の範囲】
【請求項１】
有機ハロゲン化合物で汚染された土壌を浄化する微生物の栄養源となる難水溶性有機炭素源を含有し、前記土壌を浄化する際に添加される添加材であって、
前記難水溶性有機炭素源は、
粉体状であって、添加から７日経過後における水溶液のＴＯＣが４０ｍｇ／Ｌ以上１００ｍｇ／Ｌ以下であることを特徴とする汚染土壌浄化用添加材。
【請求項２】
粉体状の鉄を含有することを特徴とする請求項１に記載の汚染土壌浄化用添加材。
【請求項３】
前記難水溶性有機炭素源は、
コーンスターチ又は片栗粉の少なくとも一方であることを特徴とする請求項１又は２に記載の汚染土壌浄化用添加材。
【請求項４】
前記難水溶性有機炭素源は、
コーンスターチであることを特徴とする請求項１又は２に記載の汚染土壌浄化用添加材。
【請求項５】
請求項１から４の何れか１項に記載の汚染土壌浄化用添加材を水に混合してスラリーとし、
有機ハロゲン化合物で汚染された土壌を攪拌する攪拌部材により、前記スラリーを前記土壌に混合することを特徴とする汚染土壌の浄化方法。
【発明の詳細な説明】
【技術分野】
【０００１】
本発明は、揮発性有機ハロゲン化合物（以下、ＶＯＣともいう）で汚染された土壌を浄化する際に、この土壌に添加される添加材、及び、この添加材を用いた汚染土壌の浄化方法に関する。
【背景技術】
【０００２】
ＶＯＣで汚染された土壌を浄化するに際し、土壌中の嫌気性微生物を活性化させる栄養材を汚染土壌に添加する技術が知られている。特許文献１には、グルコン酸やグルコン酸塩を汚染土壌に添加する発明が開示されている。
【０００３】
また、この土壌を浄化するに際し、還元剤である鉄粉と土壌中の嫌気性微生物を活性化させる栄養材とを併用する技術が知られている。特許文献２，３に開示された発明において、汚染土壌に含まれるＶＯＣは、鉄粉の還元作用によって脱ハロゲン化され、無害化される。また、土壌に存在する嫌気性微生物（例えば、Dehalococcoides属細菌）の脱ハロゲン化作用によっても無害化される。
【０００４】
ここで、鉄粉の還元作用は比較的短期間で終了してしまうことが知られている。そこで、特許文献３に開示された発明では、難水溶性且つ易分解性の有機炭素源を栄養材として用い、嫌気性微生物の活性を長期に亘って維持することがなされている。
【先行技術文献】
【特許文献】
【０００５】
【特許文献１】特許第４５２９６６７号公報
【特許文献２】特開平１１−２５３９２６号公報
【特許文献３】特開２００８−１８８５３１号公報
【発明の概要】
【発明が解決しようとする課題】
【０００６】
例えば粘性土地盤では、粘性土からＶＯＣが数か月程度の長期間放出され続けるために、ＶＯＣの分解も長期間持続させる必要がある。長期間に亘る浄化処理の観点からすれば、微生物の栄養材として徐放性を有する難水溶性有機炭素源を用いることが好ましいといえる。
【０００７】
ここで、難水溶性に分類される有機炭素源にも多くの種類があり、それぞれに特性が異なる。極めて水溶性の低い超難水溶性の有機炭素源を用いた場合、微生物に利用されるまでに長期間を要してしまう。一方、比較的水溶性の高い難水溶性有機炭素源を用いた場合、この有機炭素源を繰り返し土壌へ追添加する等の対応が必要となり、作業に手間を要してしまう。
【０００８】
また、即効性を有する浄化用鉄粉と難水溶性有機炭素源とを併用させることが考えられる。しかし、高性能な浄化用鉄粉は、難水溶性有機炭素源との併用によって浄化用鉄粉とＶＯＣの接触が阻害されてしまい、却ってＶＯＣ分解が遅延されてしまう。そこで、浄化用鉄粉のＶＯＣ分解をできるだけ阻害せず、かつ、浄化用鉄粉のＶＯＣ分解効果が低下してきた際には速やかに微生物によるＶＯＣ分解が行われることが望ましい。
【０００９】
本発明はこのような事情に鑑みてなされたものであり、その目的は、添加から適切な期間で微生物に利用され、かつ、微生物に対する栄養の供給を長期間に亘って行える土壌浄化用の添加材を提供すること、及び、汚染土壌の浄化方法を提供することにある。
【課題を解決するための手段】
【００１０】
前記目的を達成するため、本発明は、有機ハロゲン化合物で汚染された土壌を浄化する微生物の栄養源となる難水溶性有機炭素源を含有し、前記土壌を浄化する際に添加される添加材であって、前記難水溶性有機炭素源は、粉体状であって、添加から７日経過後における水溶液のＴＯＣが４０ｍｇ／Ｌ以上１００ｍｇ／Ｌ以下であることを特徴とする。
【００１１】
本発明によれば、添加から７日経過後における水溶液のＴＯＣが４０ｍｇ／Ｌ以上１００ｍｇ／Ｌ以下であるため、添加から適切な期間で微生物に利用され、かつ、微生物に対する栄養の供給を長期間に亘って行うことができる。さらに、難水溶性有機炭素源が粉体状（特に粒径２００μｍ以下の細かい粉体状）をしているため、攪拌等によって土壌に対して均一に混合することができ、浄化対象範囲に存在する微生物を全体的に活性化することができる。
【００１２】
前述の汚染土壌浄化用添加材において、粉体状の鉄を含有することが好ましい。この構成では、添加材の添加から鉄粉による還元反応が速やかに開始され、この還元反応に引き続いて微生物による脱ハロゲン化反応が行われる。このように、鉄粉と微生物による有機ハロゲン化合物の分解が連続的に行われるので、汚染土壌の浄化を効率よく行うことができる。
【００１３】
前述の汚染土壌浄化用添加材において、前記難水溶性有機炭素源は、コーンスターチ又は片栗粉の少なくとも一方であることが好ましい。また、前記難水溶性有機炭素源は、コーンスターチであることが好ましい。
【００１４】
また、前記目的を達成するため、本発明は、請求項１から４の何れか１項に記載の汚染土壌浄化用添加材を水に混合してスラリーとし、有機ハロゲン化合物で汚染された土壌を攪拌する攪拌部材により、前記スラリーを前記土壌に混合することを特徴とする汚染土壌の浄化方法である。
【発明の効果】
【００１５】
本発明によれば、有機ハロゲン化合物で汚染された土壌への添加により、添加から適切な期間で微生物に利用され、かつ、微生物に対する栄養の供給を長期間に亘って行える土壌浄化用の添加材を提供することができる。また、この添加材を利用した効率的な汚染土壌の浄化方法を提供することができる。
【図面の簡単な説明】
【００１６】
【図１】難水溶性有機炭素源となる供試栄養材を説明する表である。
【図２】ＴＯＣ（総有機炭素）濃度の試験結果を説明する表である。
【図３】ＴＯＣ濃度の試験結果を説明するグラフである。
【図４】ｃｉｓ−１，２−ＤＣＥ（ジクロロエチレン）の鉄粉による還元分解時における、栄養材の影響（分解阻害）を説明するグラフである。
【図５】ＶＯＣ（揮発性有機ハロゲン化物）の分解試験を説明する図であり、対照区（無添加区）での結果を説明するグラフである。
【図６】コーンスターチ単独系の試験結果を説明するグラフである。
【図７】片栗粉単独系の試験結果を説明するグラフである。
【図８】鉄粉単独系の試験結果を説明するグラフである。
【図９】鉄粉とコーンスターチの混合系における試験結果を説明するグラフである。
【図１０】鉄粉と片栗粉の混合系における試験結果を説明するグラフである。
【図１１】ＶＯＣ汚染土壌の浄化工法を説明する図であり、（ａ）は浄化用設備を、（ｂ）は浄化手順をそれぞれ示す。
【発明を実施するための形態】
【００１７】
以下、本発明の実施形態について説明する。本実施形態では、（１）難水溶性有機炭素源からの水溶性成分溶出試験と、（２）難水溶性有機炭素源による、鉄粉のＶＯＣ還元分解における阻害確認試験と、（３）土壌中のＶＯＣ分解試験とを行った。
【００１８】
各試験の説明に先立ち、図１を参照して、試験に供した難水溶性有機炭素源（以下、供試栄養材という）について説明する。供試栄養材は、何れも難水溶性に分類されるものであり、粉体、加工品、その他の３タイプに大別される。
【００１９】
粉体は、粉状の有機炭素源であり、本実施形態では小麦粉、片栗粉、及びコーンスターチの３種類を用いた。
【００２０】
小麦粉は、例えば粒径が２〜２００μｍ程度であって平均粒径が５０〜７０μｍ程度である。コーンスターチは、例えば粒径は２〜３０μｍ程度であって平均粒径が１５μｍ程度である。片栗粉は、カタクリの花の根からとれるでんぷん又は馬鈴薯でんぷんであり、粒径が２〜８０μｍ程度であって平均粒径が３０〜４０μｍ程度である。
【００２１】
加工品は、小麦粉や片栗粉等を麺状に加工した有機炭素源であり、本実施形態ではパスタ、マカロニ、片栗粉加工品、パン粉、及び生分解性プラスチックの５種類を用いた。
【００２２】
パスタは、直径１．８ｍｍ（ゆで時間１１分）の市販品を用いた。このパスタは、１００ｇあたりの熱量が３５８ｋｃａｌ、たんぱく質の含有量が１３ｇ、脂質の含有量が２ｇ、炭水化物の含有量が７２ｇである。そして試験には１ｃｍ以下に切断したものを用いた。マカロニは、長さ３０ｍｍ程度（ゆで時間８分）の市販品を用いた。このマカロニもまた、１００ｇあたりの熱量が３５８ｋｃａｌ、たんぱく質の含有量が１３ｇ、脂質の含有量が２ｇ、炭水化物の含有量が７２ｇである。
【００２３】
片栗粉加工品は市販の春雨を用いた。この春雨は、じゃがいもでんぷん、コーンスターチ、ＣＭＣ（カルボキシメチルセルロース）、及び増粘多糖類等を含有している。そして、１００ｇあたりの熱量が３４９ｋｃａｌ、たんぱく質の含有量が０．１ｇ、脂質の含有量が０．２ｇ、炭水化物の含有量が８６．８ｇ、及びナトリウムの含有量が０．０３５ｇである。そして試験には１ｃｍ以下に切断したものを用いた。
【００２４】
パン粉は、市販のソフトタイプを用いた。このパン粉は、１００ｇあたりの熱量が３７６ｋｃａｌ、たんぱく質の含有量が１３．６ｇ、脂質の含有量が３．５ｇ、炭水化物の含有量が７２．４ｇ、及びナトリウムの含有量が０．４７ｇである。
【００２５】
生分解性プラスチックは、梱包用の緩衝材として市販されているものを用いた。この生分解性プラスチックは、コーンスターチとＰＶＡ（ポリビニルアルコール）を主成分として含有したものである。具体的には、コーンスターチが７０％、ＰＶＡが３０％の比率で混合されたものである。そして試験にはミキサーで粉砕したものを用いた。
【００２６】
その他の供試栄養材としては、米、大豆、及びトウモロコシ粒からなる３種類の固形食品を用いた。米は茨城県産のものを用いた。大豆は北海道産のものを用いた。この大豆は、大きさが７〜９ｍｍであり、１００ｇあたりの熱量が４０８ｋｃａｌ、たんぱく質の含有量が３３．６ｇ、脂質の含有量が１７ｇ、炭水化物の含有量が３１．９ｇ、及びナトリウムの含有量が０．００１ｇである。トウモロコシ粒は、鳥類の餌（市販品）から選別したものを用いた。このトウモロコシ粒は、１００ｇあたりの熱量が３４９ｋｃａｌ、たんぱく質の含有量が９．８ｇ、脂質の含有量が３．７ｇ、及び炭水化物の含有量が７２．２ｇである。
【００２７】
次に、水溶性有機成分の溶出試験について説明する。この溶出試験では、水道水に水溶性有機成分を溶出させ、その上澄み液のＴＯＣ（全有機体炭素）濃度を測定した。具体的には、容量５００ｍＬの三角フラスコに、水道水を４００ｍＬ注入し、前述の供試栄養材を２０ｇ（但し、生分解性プラスチックのみ１０ｇ）添加した。その後、大型振とう機を用いて、供試栄養材を水道水に添加した三角フラスコをゆっくりと振とうさせた。
【００２８】
供試栄養材の添加から１日経過後、４日経過後、及び７日経過後の各タイミングで、三角フラスコにおける上澄み液を適量採取し、０．４５μｍのフィルターでろ過した濾液についてＴＯＣ濃度を測定した。なおＴＯＣ濃度の測定はＴＯＣ計（触媒酸化方式）にて行った。
【００２９】
ここで、添加からの経過日数について説明する。添加から１日目は、ＶＯＣの分解においては添加直後の時期といえる。このため、添加から１日目において高いＴＯＣ濃度を示す栄養材は、有機炭素の水への溶解度が高すぎるといえる。また、添加から７日目は、ＶＯＣの分解においては添加初期の時期といえる。
【００３０】
なお、鉄粉と栄養材（難溶性有機炭素源）とを併用する場合、添加から７日目は、鉄粉によるＶＯＣの還元分解反応がかなり低下する時期でもある。このため、栄養材由来の有機炭素で微生物が活性化することで、添加から７日目以降においては、鉄粉による還元分解反応から微生物による分解へとＶＯＣの分解を継続的に引き継ぐことができる。
【００３１】
次に、溶出試験の結果に関し、図２、３に基づいて説明する。
【００３２】
小麦粉、パスタ、マカロニ、パン粉、生分解性プラスチック、及び大豆は、何れも７日経過時点のＴＯＣ濃度が１７００ｍｇ／Ｌを超えていた。このため、これらの供試体を栄養材として用いた場合には、早期に土壌へ溶解されてしまい、微生物を長期間に亘って活性化するためには、追添加を余儀なくされることが懸念された。
【００３３】
特に、小麦粉、パスタ、マカロニ、及びパン粉については、１日経過時点のＴＯＣ濃度が１８００ｍｇ／Ｌを超えていた。このため、これらの供試体を栄養材として用いると、極めて早期に土壌へ溶解されてしまうことが懸念された。
【００３４】
春雨、白米、及びトウモロコシは、先に説明した小麦粉等に比べ、水への溶解が緩やかであった。７日経過時点のＴＯＣ濃度で比較すると、春雨が８４５ｍｇ／Ｌ、白米が６９５ｍｇ／Ｌ、トウモロコシ粒が９４５ｍｇ／Ｌであった。一般に、微生物による土壌中のＶＯＣ分解の処理期間は数か月程度が見込まれることから、水への溶解度はさらに低いことが好ましいと考えられた。
【００３５】
図３に符号Ｂで示す片栗粉及び符号Ａで示すコーンスターチは、７日経過時点のＴＯＣ濃度が４０ｍｇ／Ｌ以上１００ｍｇ／Ｌ以下と、今回の試験で対象にした供試栄養材の中で最も低い値を示した。そして、水への溶解度が４０ｍｇ／Ｌ以上１００ｍｇ／Ｌ以下の範囲内であれば、数か月程度の長期間に亘って行われるＶＯＣ分解処理においても、微生物に栄養を供給し続けられると考えられた。
【００３６】
次に、難水溶性有機炭素源による、鉄粉のＶＯＣ還元分解における阻害確認試験について説明する。
【００３７】
この阻害確認試験は、難水溶性有機炭素源を含有する栄養材と鉄粉とを併用した場合に、併用に起因するＶＯＣ還元分解の阻害状況を確認する目的で行った。このため、ＶＯＣを分解する微生物が存在しない水溶液に、ＶＯＣとしてｃｉｓ−ＤＣＥ（ジクロロエチレン）を規定濃度となるように添加し、鉄粉によるｃｉｓ−ＤＣＥの還元分解を評価した。
【００３８】
併用される栄養材は、先に説明した溶出試験にて、７日経過時点のＴＯＣ濃度が１００ｍｇ／Ｌ以下である片栗粉、及びコーンスターチを選択した。また、比較例として難水溶性の白米（７日経過時点のＴＯＣ濃度が６９５ｍｇ／Ｌ）及び水溶性のグルコン酸ナトリウムを選択した。さらに、基準としてｃｉｓ−ＤＣＥのみを添加した無添加区（対照区）、及び、鉄粉とｃｉｓ−ＤＣＥを添加し、栄養材を添加しない鉄粉単独系を用いた。
【００３９】
試験方法について説明する。この阻害確認試験では、容量４０ｍＬのバイアル瓶に脱イオンを水３８ｍＬ注入し、ＶＯＣ分解用の鉄粉（平均粒径１５０μｍ）を０．８ｇ、前述の栄養材を０．２ｇ添加した。さらに、ＶＯＣとして、ｃｉｓ−ＤＣＥ原液を０．４ｍＬ添加した。
【００４０】
その後、バイアル瓶の蓋を閉め、振とう機（ミックスローター、バリアブルタイプ）を用いて攪拌しつつ養生した。養生は７日間に亘って行い、その間の室温は２２〜２４℃に維持した。そして、添加直後、添加から１日経過後、２日経過後、３日経過後、４日経過後、及び７日経過後のそれぞれでサンプルを採取し、ｃｉｓ−ＤＣＥの濃度を測定した。なお、濃度は、ヘッドスペースガスをポータブルガスクロマトグラフ（ＰＩＤ方式）で測定することで取得した。
【００４１】
試験結果を図４に示す。この図４において、縦軸は液中のｃｉｓ−ＤＣＥの濃度であり、横軸は添加からの経過日数である。符号Ｄで示す無添加区については、ｃｉｓ−ＤＣＥが高い濃度のままほぼ一定であった。この結果から、７日間の試験期間に亘ってｃｉｓ−ＤＣＥは自然分解等されていないことが判る。そして、符号Ｃで示す鉄粉単独系については、２日経過時点の濃度が約１５ｍｇ／Ｌであり、３日経過時点の濃度が０．０１ｍｇ／Ｌであった。この結果から、鉄粉のみを添加すると、試験条件下においてｃｉｓ−ＤＣＥは３日以内に分解されることが理解できる。
【００４２】
符号Ｂで示す鉄粉と片栗粉の混合系では、２日経過時点の濃度が約３４ｍｇ／Ｌ、３日経過時点の濃度が約６ｍｇ／Ｌ、４日経過時点の濃度が０．０１ｍｇ／Ｌであった。この結果から、鉄粉と片栗粉の混合系を用いた場合、鉄粉単独系よりは多少劣るものの、良好な分解能力が得られることが理解できる。すなわち、片栗粉は、鉄粉によるＶＯＣの還元分解を阻害し難い物質（難水溶性有機炭素源）といえる。
【００４３】
符号Ａで示す鉄粉とコーンスターチの混合系では、３日経過時点の濃度が約１８ｍｇ／Ｌ、４日経過時点の濃度が約３ｍｇ／Ｌ、７日経過時点の濃度が０．０１ｍｇ／Ｌであった。なお、４日経過時点の濃度が約３ｍｇ／Ｌであったことを考慮すると、７日よりも前の時点でｃｉｓ−ＤＣＥの分解が完了していることが推察される。この結果から、鉄粉とコーンスターチの混合系を用いた場合、鉄粉と片栗粉の混合系よりは多少劣るものの、やはり良好な分解能力が得られるといえる。すなわち、コーンスターチもまた、鉄粉によるＶＯＣの還元分解を阻害し難い物質といえる。
【００４４】
そして、比較例である鉄粉と白米の混合系、及び、鉄粉とグルコン酸ナトリウムの混合系については、符号Ｄで示す無添加区と同様、ｃｉｓ−ＤＣＥの濃度は試験期間に亘って高い水準を示した。このことから、白米やグルコン酸ナトリウムは、鉄粉によるＶＯＣの還元分解を阻害し易い物質といえる。
【００４５】
次に、土壌中のＶＯＣ分解試験について説明する。
【００４６】
このＶＯＣ分解試験は、現場でのＶＯＣ分解を模擬する試験として行った。このため、（１）粘性土にＶＯＣを分解する微生物を添加した対照区（無添加区）と、（２）対照区にコーンスターチのみを添加したコーンスターチ単独系試験区と、（３）対照区に片栗粉のみを添加した片栗粉単独系試験区と、（４）対照区に鉄粉のみを添加した鉄粉単独系試験区と、（５）対照区に鉄粉とコーンスターチを添加したコーンスターチ混合系試験区と、（６）対照区に鉄粉と片栗粉を添加した片栗粉混合系試験区とを対象にして試験を行った。
【００４７】
試験方法について説明する。このＶＯＣ分解試験において、上記（１）の対照区では、容量１００ｍＬのメジューム瓶に湿潤状態の粘性土（シルト混じり細砂）を８０ｇ投入し、ＴＣＥ（トリクロロエチレン）飽和溶液を試験区内のＴＣＥ濃度が１５ｍｇ／Ｌ程度となるように添加し、さらにＶＯＣ分解微生物の培養液１ｍＬを添加した。
【００４８】
上記（２）、（３）の栄養材単独系試験区では、上記（１）に加えて前述の栄養材を０．２４ｇ添加した。また、上記（４）の鉄粉単独系試験区では、上記（１）に加えてＶＯＣ分解用の鉄粉（平均粒径１５０μｍ）を０．８ｇ添加した。さらに、上記（５）、（６）の混合系試験区では、上記（４）に加えて前述の栄養材を０．２４ｇ添加した。すなわち、栄養材を鉄粉の３０％の割合で添加した。
【００４９】
評価は、ＴＣＥと、ＴＣＥの分解生成物であるｃｉｓ−ＤＣＥ、ｔｒａｎｓ−ＤＣＥ、１，１−ＤＣＥ、ＶＣ（塩化ビニル）のそれぞれについて、濃度を測定することにより行った。
【００５０】
以下、試験結果について説明する。まず、上記（１）の対照区について説明する。図５に示すように、対照区では、添加直後約２１ｍｇ／ＬであったＴＣＥが７日目には約１２ｍｇ／Ｌまで減少した。その後、ＴＣＥ濃度は緩やかに減少し、３５日目には約７ｍｇ／Ｌになった。そして、４３日目以降は３ｍｇ／Ｌ前後の値でほぼ一定になった。ｃｉｓ−ＤＣＥについては、添加直後において０．１ｍｇ／Ｌであったが、７日目から３５日目にかけて１．５ｍｇ／Ｌ前後の値を示した。そして、４３日目以降は約０．９ｍｇ／Ｌから０．７ｍｇ／Ｌと緩やかに減少した。ｔｒａｎｓ−ＤＣＥについては、１４日目から３５日目に亘って０．０２ｍｇ／Ｌと若干の増加が見られたが、４３日目以降は０．０１ｍｇ／Ｌを示した。
【００５１】
以上の結果より、対照区では、３５日目までは添加した微生物によるＶＯＣの分解が行われ、４３日目以降は微生物の活動が停止し、ＶＯＣの分解が行われなくなったことが理解できる。
【００５２】
次に上記（２）のコーンスターチ単独系試験区について説明する。図６に示すように、コーンスターチ単独系試験区では、添加直後約２３ｍｇ／ＬであったＴＣＥが７日目には約０．１ｍｇ／Ｌまで減少し、１４日目には０．０１ｍｇ／Ｌまで減少した。これに対応して、ｃｉｓ−ＤＣＥは、７日目に約１４ｍｇ／Ｌまで上昇し、４３日目で約１１ｍｇ／Ｌと高い水準を示した。同様に、ｔｒａｎｓ−ＤＣＥについても、７日目から４３日目に亘って０．０７ｍｇ／Ｌ前後の数値を示した。そして、６２日目においては、何れの成分も０．０１ｍｇ／Ｌと検出されなくなった。このことから、６２日目までに全てのＶＯＣが分解されたと推定された。
【００５３】
以上の結果より、コーンスターチ単独系試験区では、４３日以上の期間に亘って微生物によるＶＯＣの分解が継続して行われたことが理解できる。
【００５４】
次に上記（３）の片栗粉単独系試験区について説明する。図７に示すように、片栗粉単独系試験区では、添加直後約２２ｍｇ／ＬであったＴＣＥが７日目には約９ｍｇ／Ｌとなり、１４日目には０．０４ｍｇ／Ｌに減少し、２１日目には０．０１ｍｇ／Ｌまで減少した。コーンスターチ単独系試験区と比較すると、片栗粉単独系試験区の方がＴＣＥの減少度合いが緩やかであることが確認された。これは、コーンスターチよりも片栗粉の方が水に溶け難い性質を有しているためと考えられる。
【００５５】
ＴＣＥ濃度の減少に伴い、ｃｉｓ−ＤＣＥ及びｔｒａｎｓ−ＤＣＥの濃度上昇が確認された。すなわち、ｃｉｓ−ＤＣＥについては、７日目に約６ｍｇ／Ｌ、１４日目に約１３ｍｇ／Ｌと濃度が上昇した。その後、徐々に濃度が低下し、６２日目には約６ｍｇ／Ｌとなり、９１日目には０．０１ｍｇ／Ｌになった。ｔｒａｎｓ−ＤＣＥについては、１４日目から３５日目にかけて０．０７ｍｇ／Ｌ程度の濃度を維持した後、緩やかに濃度が低下し、９１日目には０．０１ｍｇ／Ｌになった。
【００５６】
また、片栗粉単独系試験区ではＶＣも検出された。すなわち、４３日目には０．０２ｍｇ／Ｌの濃度で検出された。その後、６２日目には約０．４ｍｇ／Ｌとなり、９１日目には０．７ｍｇ／Ｌまで濃度が上昇した。そして、１２４日目には０．０１ｍｇ／Ｌになった。
【００５７】
以上の結果より、片栗粉単独系試験区では、９１日以上の期間に亘って微生物によるＶＯＣの分解が継続して行われたことが理解できる。すなわち、コーンスターチ単独系試験区よりも、緩やかな分解が長期間に亘って行われたことが理解できる。
【００５８】
次に上記（４）の鉄粉単独系試験区について説明する。図８に示すように、鉄粉単独系試験区では、添加直後約２１ｍｇ／ＬであったＴＣＥが７日目には約０．０９ｍｇ／Ｌとなり、１４日目には０．０１ｍｇ／Ｌまで減少した。前述のコーンスターチ単独系試験区や片栗粉単独系試験区よりも、短期間でＴＣＥが分解されていることが理解できる。すなわち、鉄粉による還元分解反応は、微生物による分解に比べて即効性を有していることが理解できる。
【００５９】
また、ｃｉｓ−ＤＣＥについては、７日目に約３ｍｇ／Ｌまで上昇した後、徐々に減少するに留まっている。例えば、４３日目には約０．９ｍｇ／Ｌまで減少したものの、１２４日目において約０．３ｍｇ／Ｌ残存している。この他に、鉄粉単独系試験区では、１４日目から２８日目に亘って微量のＶＣが発生していた。
【００６０】
以上の結果より、鉄粉単独系試験区では、鉄粉によるＴＣＥの還元分解が主であると解され、微生物によるＶＯＣの分解については確認が困難であった。そして、鉄粉による還元分解については、７日目までの期間に概ね行われていることが確認された。
【００６１】
次に上記（５）のコーンスターチ混合系試験区について説明する。図９に示すように、コーンスターチ混合系試験区では、ＴＣＥについては１４日目で、ｃｉｓ−ＤＣＥについては３５日目で、濃度がそれぞれ０．０１ｍｇ／Ｌになっている。すなわち、鉄粉と微生物のそれぞれによってＴＣＥが分解されたことが理解できる。また、２１日目から２８日目に亘ってＶＣの発生が認められるが、これも３５日目で濃度が０．０１ｍｇ／Ｌになっている。前述のコーンスターチ単独区（図６）と比較すると、ＶＯＣの分解終了までに要する期間が２週間以上早まっていることが理解できる。
【００６２】
コーンスターチ混合系試験区では、ＴＥＣ濃度が添加直後から急速に低下していることから、鉄粉によるＶＯＣの還元分解が効率よく行われていることが理解できる。このことは、鉄粉によるＶＯＣの還元分解がコーンスターチによって阻害され難いことを意味している。また、ｃｉｓ−ＤＣＥやＶＣの濃度が段階的に高くなっており、鉄粉単独区（図８）と比較して分解されるＶＯＣの量も増えていることから、活性化された微生物によるＶＯＣの分解も行われていることが理解できる。このことは、鉄粉によってＶＯＣが還元分解されている期間に微生物が活性化され、鉄粉によるＶＯＣの還元分解に引き続いて微生物によるＶＯＣの分解が行われているといえる。
【００６３】
次に上記（６）の片栗粉混合系試験区について説明する。図１０に示すように、片栗粉混合系試験区では、ＴＣＥについては１４日目で、ｃｉｓ−ＤＣＥについては６０日目で、濃度がそれぞれ０．０１ｍｇ／Ｌになっている。これらのことから、片栗粉混合系試験区でも、鉄粉と微生物のそれぞれによってＴＣＥが分解されたことが理解できる。前述の片栗粉単独系試験区（図７）と比較すると、ＶＯＣの分解終了までに要する期間が約１ヶ月早まっていることが理解できる。
【００６４】
片栗粉混合系試験区でも、ＴＥＣ濃度が添加直後から急速に低下していることから、鉄粉によるＶＯＣの還元分解が効率よく行われていることが理解できる。すなわち、鉄粉によるＶＯＣの還元分解は、片栗粉によっても阻害され難いことが理解できる。また、鉄粉単独区（図８）と比較して分解されるＶＯＣの量も増えていることから、活性化された微生物によるＶＯＣの分解も行われていることが理解できる。片栗粉混合系試験区では、ｃｉｓ−ＤＣＥの濃度が１４日目から４３日目まで継続して高い数値を示しているので、鉄粉によってＶＯＣが還元分解されている期間に微生物が活性化され、鉄粉によるＶＯＣの還元分解に引き続いて微生物によるＶＯＣの分解が行われているといえる。
【００６５】
以上の試験結果より、次の事項が理解できる。
【００６６】
ＶＯＣ分解微生物の栄養源となる難水溶性有機炭素源として、添加から７日経過後における水溶液のＴＯＣが４０ｍｇ／Ｌ以上１００ｍｇ／Ｌ以下のもの、具体的にはコーンスターチ及び片栗粉を用いているので、図６や図７の単独系試験区の結果に示されるように、添加から適切な期間で（例えば１週間をかけて徐々に）微生物に利用され、かつ、この微生物に対する栄養の供給を数か月程度の長期間に亘って行うことができる。なお、実験では添加から６０日〜１２０日に亘って分解試験を行ったが、添加量を調整する等により、一層の長期間に亘ってＶＯＣの分解を継続できると解される。
【００６７】
また、コーンスターチや片栗粉を用いることにより、鉄粉と併用しても鉄粉によるＶＯＣの還元分解を阻害し難いことが確認された。これは、コーンスターチや片栗粉が適度な溶解度を有する粉体であるためと考えられる。すなわち、ＶＯＣは疎水性であり、吸着作用によって鉄粉の表面に接触する。この場合、鉄粉の周囲に親水性の有機物イオンが大量に存在すると、疎水性のＶＯＣが反発して鉄粉表面に接触し難くなる。この点、コーンスターチや片栗粉は、適度な溶解度（添加から７日経過後のＴＯＣで４０ｍｇ／Ｌ以上１００ｍｇ／Ｌ以下）を有することから、鉄粉の周囲に存在する有機物イオンの量も適度に抑えられ、ＶＯＣが鉄粉表面に対して比較的容易に吸着されると考えられる。
【００６８】
なお、コーンスターチ（図９）と片栗粉（図１０）とを比較すると、７日目のＴＣＥ濃度に関して、片栗粉混合系試験区の方が若干高い数値を示している。このことは、鉄粉の反応が緩やかであること、言い換えれば、片栗粉の方がコーンスターチよりも、鉄粉によるＶＯＣの還元分解反応を阻害しやすいことを示している。
【００６９】
また、ＶＯＣの分解期間に関し、片栗粉の方がＶＯＣの分解に時間を要している。これは、微生物の活性化度合いに関し、コーンスターチの方が片栗粉よりも良好なこと、言い換えれば微生物に取り込まれ易いことを意味すると解される。このことから、コーンスターチと片栗粉とでは、微生物の活性化度合いが高い点でコーンスターチの方が優れているといえる。
【００７０】
次に、本実施形態の浄化材（鉄粉＋コーンスターチ、又は、鉄粉＋片栗粉）を用いたＶＯＣ汚染土壌の浄化工法（浄化方法）について説明する。
【００７１】
この浄化工法では、例えば図１１（ａ）に示す浄化用設備を用いる。例示した浄化用設備は、深層混合機１と、スラリータンク２と、スラリーポンプ３とを有している。深層混合機１は、地盤Ｇを攪拌するための攪拌翼１１を有している。この攪拌翼１１は、軸回りに回転可能であって上下方向に移動可能に構成されている。そして、攪拌翼１１の下端部分にはスラリーを噴射可能な噴射口が設けられている。スラリータンク２は、浄化材のスラリー体を作製する装置であり、容器と攪拌部材の組によって構成されている。スラリーポンプ３は、スラリータンク２で作製された浄化材スラリーを深層混合機１へ供給するための装置である。
【００７２】
この浄化用設備を用いてＶＯＣ汚染土壌を浄化する場合、まず浄化材スラリーを作製する。すなわち、粉体状の浄化材と水とをスラリータンク２の容器内に投入し、攪拌部材を回転させる。浄化材スラリーが作製されたならば、地盤Ｇの攪拌と浄化材の注入とを行う。この場合、例えば図１１（ｂ）に示すように、深層混合機１の攪拌翼１１を軸回りに回転させつつ、下方へと移動させる。
【００７３】
攪拌翼１１の先端部分が地盤Ｇに入り込んだならば、浄化材スラリーを地盤Ｇの攪拌範囲Ｇ´に注入する。すなわち、スラリーポンプ３を作動させて、浄化材スラリーを深層混合機１に供給し、供給された浄化材スラリーを攪拌翼１１の先端部分から吐出させる。これにより、攪拌範囲Ｇ´は土砂と浄化材スラリーとが混合された状態になる。その後は、攪拌翼１１を徐々に押し下げ、攪拌範囲Ｇ´が必要な深さまで形成されたならば、攪拌翼１１を引き上げる。
【００７４】
これにより、攪拌範囲Ｇ´に注入された浄化材スラリーのうち、余剰の水分は地盤Ｇに拡散される。その結果、攪拌範囲Ｇ´には土砂と浄化材（鉄粉＋粉状のコーンスターチ又は片栗粉）が残ることになる。この状態で、放置することにより、まずは鉄粉によるＶＯＣの還元分解が行われる。その際、余剰の水分は拡散されているので、鉄粉による還元分解が効率よく行われる。また、適度に溶出されたコーンスターチや片栗粉が地盤Ｇに存在する微生物に取り込まれる。そして、鉄粉によるＶＯＣの還元分解が終わる頃に、微生物が活性化されてＶＯＣを分解する。その後は、コーンスターチや片栗粉を取り込んだ微生物により、長期間に亘ってＶＯＣが分解される。
【００７５】
そして、本実施形態の浄化工法では、浄化材が粉体状をしているので、地盤Ｇの土砂への混合が容易であり、かつ、浄化材を均一に分散させることができる。その結果、鉄粉によるＶＯＣの還元分解と微生物の活性化とを高いレベルで実現できる。
【００７６】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００７７】
前述の実施形態において、粉状の難水溶性有機炭素源として、コーンスターチと片栗粉を例示したが、添加から７日経過後における水溶液のＴＯＣが４０ｍｇ／Ｌ以上１００ｍｇ／Ｌ以下のものであれば、コーンスターチ等と同様に用いることができる。例えば、タピオカ粉末は、コーンスターチとよく似た性質を有しているので、この条件を満たす可能性が高い。
【００７８】
また、前述の実施形態（ＶＯＣ分解試験）では、鉄粉０．８ｇに対して栄養材（コーンスターチ，片栗粉）を０．２４ｇ添加した。すなわち、鉄粉の３０％の栄養材を添加した。ここで、栄養材の添加比率はこの値に限られない。点か比率を鉄粉の３０％以下にすれば、鉄粉によるＶＯＣの還元分解を阻害せずに、ＶＯＣ分解微生物を栄養材によって活性化できると考えられる。また、栄養材の添加量の下限値は、微生物によるＶＯＣ分解に必要な最低限の水素量から算出すればよい。
【００７９】
また、本実施形態の浄化材は、鉄粉と難水溶性有機炭素源の組み合わせであったが、土壌中のＶＯＣ分解試験の結果からすれば、難水溶性有機炭素源を単独で用いることも可能である。この場合、鉄粉よる短期間の分解効果は期待できないが、微生物による長期間の分解効果を得ることができる。
【００８０】
また、前述の実施形態では、コーンスターチと片栗粉とを別個に用いていたが、これらを混合して用いてもよい。この場合、コーンスターチと片栗粉を混ぜる割合により、異なる特性を付与することができる。例えば、コーンスターチの割合を片栗粉よりも多くすることで、即効性を重視した配合にすることができる。また、片栗粉の割合をコーンスターチよりも多くすることで、持続期間を重視した配合にすることができる。
【符号の説明】
【００８１】
１…深層混合機，２…スラリータンク，３…スラリーポンプ，１１…攪拌翼，Ｇ…地盤，Ｇ´…攪拌範囲
【図１】
2014012233.tif 000003
【図２】
2014012233.tif 000004
【図４】
2014012233.tif 000005
【図５】
2014012233.tif 000006
【図６】
2014012233.tif 000007
【図７】
2014012233.tif 000008
【図８】
2014012233.tif 000009
【図９】
2014012233.tif 000010
【図１０】
2014012233.tif 000011
【図１１】
2014012233.tif 000012
【図３】
2014012233.tif 000013